(57)【要約】  本発明は、外部拡張機器を連結することができるポートが設けられた携帯可能な電子装置用入出力（Ｉ／Ｏ）拡張機器に関し、この入出力拡張機器は、少なくとも１つのディスプレイ部を有するディスプレイ本体と、前記携帯可能な電子装置のポートに電気的且つ物理的に脱着可能に前記ディスプレイ本体の一領域に形成される少なくとも１つの入出力（Ｉ／Ｏ）連結部と、を含むことを特徴とする。これにより、電気的且つ物理的に脱着可能な多機能の入出力拡張機器を提供することができる。
2009536394.tif 000002
【特許請求の範囲】
【請求項１】
外部拡張機器を連結することができるポートが設けられた携帯可能な電子装置用入出力（Ｉ／Ｏ）拡張機器において、
少なくとも１つのディスプレイ部を有するディスプレイ本体と、
前記携帯可能な電子装置のポートに電気的且つ物理的に脱着可能に前記ディスプレイ本体の一領域に形成される少なくとも１つの入出力（Ｉ／Ｏ）連結部と、
を含むことを特徴とする、携帯可能な電子装置用入出力拡張機器。
【請求項２】
外部拡張機器を連結することができるポートが設けられた携帯可能な電子装置用入出力（Ｉ／Ｏ）拡張機器において、
少なくとも１つのディスプレイ部を有するディスプレイ本体と、
前記ディスプレイ本体の一領域に形成される少なくとも１つの入出力（Ｉ／Ｏ）連結部と、
前記ディスプレイ装置と前記携帯可能な電子装置とを電気的且つ物理的に連結するために、前記入出力連結部及び前記ポートに接続されるインタフェースケーブルと、
を含むことを特徴とする、携帯可能な電子装置用入出力拡張機器。
【請求項３】
前記ディスプレイ本体は、機能性電子機器を電気的且つ物理的に脱着可能に連結する少なくとも１つの機能性電子機器接続ポートをさらに含み、
前記接続ポートに連結される前記機能性電子機器を介して受信された情報を前記ディスプレイ部に表示するか、または、前記携帯可能な電子装置に送信することを特徴とする請求項１に記載の携帯可能な電子装置用入出力拡張機器。
【請求項４】
前記ディスプレイ本体は、機能性電子機器を電気的且つ物理的に脱着可能に連結する少なくとも１つの機能性電子機器接続ポートをさらに含み、
前記接続ポートに連結される前記機能性電子機器を介して受信された情報を前記ディスプレイ部に表示するか、または、前記携帯可能な電子装置に送信することを特徴とする請求項２に記載の携帯可能な電子装置用入出力拡張機器。
【請求項５】
前記機能性電子機器は、血糖センサー、血圧センサー、心拍センサー、ＲＦセンサー、光センサー、温度センサー、湿度センサー及び情報処理プロセッサーのうち少なくとも１つを含むことを特徴とする請求項３に記載の携帯可能な電子装置用入出力拡張機器。
【請求項６】
前記機能性電子機器は、血糖センサー、血圧センサー、心拍センサー、ＲＦセンサー、光センサー、温度センサー、湿度センサー及び情報処理プロセッサーのうち少なくとも１つを含むことを特徴とする請求項４に記載の携帯可能な電子装置用入出力拡張機器。
【請求項７】
前記ディスプレイ本体に電源を供給するために、前記ディスプレイ本体に形成される電源供給部をさらに含むことを特徴とする請求項１に記載の携帯可能な電子装置用入出力拡張機器。
【請求項８】
前記ディスプレイ本体に電源を供給するために、前記ディスプレイ本体に形成される電源供給部をさらに含むことを特徴とする請求項２に記載の携帯可能な電子装置用入出力拡張機器。
【請求項９】
前記電源供給部は、ポリマー電池、太陽電池、及び燃料電池のうち少なくとも１つを含むことを特徴とする請求項７に記載の携帯可能な電子装置用入出力拡張機器。
【請求項１０】
前記電源供給部は、ポリマー電池、太陽電池、及び燃料電池のうち少なくとも１つを含むことを特徴とする請求項８に記載の携帯可能な電子装置用入出力拡張機器。
【請求項１１】
前記ディスプレイ本体は、プラスチック基板、上面及び下面のうち少なくとも一面に高分子膜が塗布された超薄型ガラス基板、及び金属薄膜基板のうち１つを使用することを特徴とする請求項１に記載の携帯可能な電子装置用入出力拡張機器。
【請求項１２】
前記ディスプレイ本体は、プラスチック基板、上面及び下面のうち少なくとも一面に高分子膜が塗布された超薄型ガラス基板、及び金属薄膜基板のうち１つを使用することを特徴とする請求項２に記載の携帯可能な電子装置用入出力拡張機器。
【請求項１３】
前記ディスプレイ本体に使用される前記基板上には、前記機能性電子機器の電気的且つ物理的脱着及び電気的集積を容易にするための印刷回路基板（ＰＣＢ）が形成されることを特徴とする請求項１１に記載の携帯可能な電子装置の入出力拡張機器。
【請求項１４】
前記ディスプレイ本体に使用される前記基板上には、前記機能性電子機器の電気的且つ物理的脱着及び電気的集積を容易にするための印刷回路基板（ＰＣＢ）が形成されることを特徴とする請求項１２に記載の携帯可能な電子装置の入出力拡張機器。
【請求項１５】
前記プラスチック基板は、ポリエチレンテレフタレート（ＰＥＴ）、 ポリカーボネート（ＰＣ）、 ポリエーテルスルホン （ＰＥＳ）、ポリイミド（ＰＩ）のうち１つを使用して形成されることを特徴とする請求項１１に記載の携帯可能な電子装置用入出力拡張機器。
【請求項１６】
前記プラスチック基板は、ポリエチレンテレフタレート（ＰＥＴ）、ポリカーボネート（ＰＣ）、ポリエーテルスルホン（ＰＥＳ）、ポリイミド（ＰＩ）のうち１つを使用して形成されることを特徴とする請求項１２に記載の携帯可能な電子装置用入出力拡張機器。
【請求項１７】
前記金属薄膜基板は、ステンレス鋼またはアルミニウムを使用して形成されることを特徴とする請求項１１に記載の携帯可能な電子装置用入出力拡張機器。
【請求項１８】
前記金属薄膜基板は、ステンレス鋼またはアルミニウムを使用して形成されることを特徴とする請求項１２に記載の携帯可能な電子装置用入出力拡張機器。
【請求項１９】
前記ディスプレイ部は、液晶ディスプレイ（ＬＣＤ）、有機発光ダイオード（ＯＬＥＤ）及び電子ペーパのうち少なくとも１つを使用して集積することを特徴とする請求項１に記載の携帯可能な電子装置用入出力拡張機器。
【請求項２０】
前記ディスプレイ部は、液晶ディスプレイ（ＬＣＤ）、有機発光ダイオード（ＯＬＥＤ）及び電子ペーパのうち少なくとも１つを使用して集積することを特徴とする請求項１に記載の携帯可能な電子装置用入出力拡張機器。
【発明の詳細な説明】
【技術分野】
【０００１】
本発明は、携帯可能な電子装置用入出力拡張機器に関し、より詳細には、既存の携帯用電子装置の表示部をさらに大きくすることができ、ひいては、近距離情報認識及び伝達装置、バイオセンサーなどを装着し、機能を拡大することができる携帯可能な電子装置用入出力拡張機器に関する。
【背景技術】
【０００２】
情報通信産業の発展に伴って、携帯電話は、単純な音声通信だけを行った初期の携帯電話からデジタルカメラ、ＭＰ３などの機能が集積された複合機器に発達している。最近、これらモバイル機器には、多様な機能のセンサー、情報記憶装置など多様な任意の電子機器が集積され、モバイル機器の機能は多様化している。しかし、このような電子機器を集積しつつ、集積された電子機器を動作させるためには、適切な電源供給源が必要であり、適当な体積及び重さを有しなければならない。
【０００３】
今までの携帯電話は、音声通話、ゲーム、ＭＰ３のようにデータ通信を用いたモードまたは記憶媒体を用いたモードなどで使用された。しかし、前述のように、携帯電話に多様な機能を集積する場合、携帯電話の重さが増加し、体積が大きくなり、このため、携帯が容易でない。また、既存の携帯電話の基本電源だけでは不足し、使用時間が短くなるという問題点が発生するようになる。
【発明の開示】
【発明が解決しようとする課題】
【０００４】
したがって、本発明は、前述したような問題点を解消するためになされたもので、その目的は、携帯可能な電子装置の機能を拡大することができる入出力拡張機器をユーザの要求によって携帯可能な電子装置に物理的及び電気的に連結し、電子装置の機能が拡大された携帯可能な電子装置用入出力拡張機器を提供することにある。
【０００５】
また、本発明の目的は、入出力拡張機器を電子装置から分離して携帯することができると共に、超薄型、超軽量のプラスチック基板、金属薄膜、特殊加工された薄膜ガラスなどを使用することによって、携帯容易性を増大させることができる電子装置用入出力拡張機器を提供することにある。
【０００６】
本発明のさらに他の目的は、別の電源供給部を設け、使用時間を増大させることができる入出力拡張機器を提供することにある。
【課題を解決するための手段】
【０００７】
上記目的を達成するために、本発明の一態様に係る携帯可能な電子装置用入出力拡張機器は、外部拡張機器を連結することができるポートが設けられた携帯可能な電子装置用入出力（Ｉ／Ｏ）拡張機器において、少なくとも１つのディスプレイ部を有するディスプレイ本体と、前記携帯可能な電子装置のポートに電気的且つ物理的に脱着可能に前記ディスプレイ本体の一領域に形成される少なくとも１つの入出力（Ｉ／Ｏ）連結部と、を含む 。
【０００８】
また、本発明の他の態様に係る携帯可能な電子装置用入出力拡張機器は、外部拡張機器を連結することができるポートが設けられた携帯可能な電子装置用入出力（Ｉ／Ｏ）拡張機器において、少なくとも１つのディスプレイ部を有するディスプレイ本体と、前記ディスプレイ本体の一領域に形成される少なくとも１つの入出力（Ｉ／Ｏ）連結部と、前記ディスプレイ装置と前記携帯可能な電子装置とを電気的且つ物理的に連結するために、前記入出力連結部及び前記ポートに接続されるインタフェースケーブルと、を含む。
【０００９】
好ましくは、前記ディスプレイ本体には、機能性電子機器を電気的且つ物理的に脱着可能に連結する少なくとも１つの機能性電子機器接続ポートをさらに含み、前記接続ポートに連結される前記機能性電子機器を介して受信された情報を前記ディスプレイ部に表示したり、前記携帯可能な電子装置に送信する。前記機能性電子機器は、血糖センサー、血圧センサー、心拍センサー、ＲＦセンサー、光センサー、温度センサー、湿度センサー及び情報処理プロセッサのうち少なくとも１つを含む。
【００１０】
前記ディスプレイ本体に電源を供給するために、前記ディスプレイ本体に形成される電源供給部をさらに含み、前記電源供給部は、ポリマー電池、太陽電池、及び燃料電池のうち少なくとも１つを含む。
【００１１】
前記ディスプレイ本体は、プラスチック基板、上面及び下面のうち少なくとも一面に高分子膜が塗布された超薄型ガラス基板、及び金属薄膜基板のうち１つを使用する。前記ディスプレイ本体に使用される前記基板上には、前記機能性電子機器の電気的且つ物理的脱着及び電気的集積を容易にするための印刷回路基板（ＰＣＢ）が形成される。前記プラスチック基板は、ポリエチレンテレフタレート（ＰＥＴ）、ポリカーボネート（ＰＣ）、ポリエーテルスルホン（ＰＥＳ）、ポリイミド（ＰＩ）のうち１つを使用して形成される。前記金属薄膜は、ステンレス鋼またはアルミニウムを使用して形成される。前記ディスプレイ部は、液晶ディスプレイ（ＬＣＤ）、有機発光ダイオード（ＯＬＥＤ）及び電子ペーパのうち少なくとも１つを使用して集積する。
【発明の効果】
【００１２】
本発明は、携帯可能な電子装置に電気的且つ物理的に脱着可能な入出力拡張機器を使用することによって、携帯可能な電子装置の機能を拡大させることができる。また、入出力拡張装置を超薄型、超軽量のプラスチック基板、金属薄膜、特殊加工された薄膜ガラスなどを使用して電子装置から分離して携帯することができるように製造することによって、入出力拡張装置の携帯容易性を増大させることができる。
【００１３】
また、充電可能な電源供給部を入出力拡張機器に設けることによって、ディスプレイ部の拡大により追加要求される電源を容易に供給することができ、特に、太陽電池などを装着する場合には、拡張装置に供給される電源を自体生産することによって、電源供給を自由に行うことができる。
【００１４】
また、拡張機器に形成された機能性電子機器接続ポートに各種多様な機能性電子機器（血糖センサー、血圧センサー、心拍センサー、光センサー、温度センサー、湿度センサーなど）を連結することによって、ユビキタス時代に応じる多機能入出力拡張装置を提供することができる。
【発明を実施するための最良の形態】
【００１５】
以下、添付の図面を参照して本発明の好ましい実施例を詳細に説明する。
【００１６】
図１ａは、本発明の実施例による携帯用電子装置と前記携帯用電子装置に連結される入出力拡張機器の分解斜視図であり、図１ｂは、図１ａの入出力拡張機器が携帯用電子装置に装着された状態を示す斜視図である。図２は、図１ｂのＩＩ−ＩＩ線に沿う側断面図である。  
図示のように、本発明による携帯用電子装置は、携帯電話を例にしているが、本発明が携帯電話に限定されるものではなく、ＤＭＢフォン、ＭＰ３、ＰＤＡなど各種多様な携帯用電子装置に使用することができる。
【００１７】
図１ａ及び図１ｂを参照すれば、本実施例に使用された携帯用電子装置は、携帯電話１００である。携帯電話１００は、デュアル方式のフォルダ型で、２つの胴体１０１、１０２がヒンジ構造１０３で結合されている形態である。２つの胴体１０１、１０２のうち一方１０１には、ユーザが所望する情報を入力する入力装置１０４（例えば、ボタンタイプ、タッチパネルなど）が設けられ、他方１０２には、入力装置１０４によって印加される電気的な信号によって情報を表示する表示部１０５が設けられている。携帯電話１００の胴体１０２には、外部で連結される多様な拡張機器などを連結することができる少なくとも１つのポート１１０が形成されている。本実施例では、ポート１１０が胴体１０２の上部に形成されているが、ポート１１０の形成位置は、これに限定されない。
【００１８】
前記ポート１１０に連結される入出力拡張機器１５０は、ポート１１０を介して携帯電話１００に連結され、少なくとも１つのディスプレイ部１５２を有するディスプレイ本体１５１と、携帯電話１００のポート１１０に相互脱着可能に連結される少なくとも１つの入出力Ｉ／Ｏ連結部１５３と、を含む。
【００１９】
前述のような構成によれば、携帯電話１００に連結された入出力拡張装置１５０は、前記携帯電話１００から電源を供給されることができる。もちろん、本実施例では、図示してはいないが、入出力拡張装置１５０に電源を供給する別の電源供給部を形成することができる。また、入出力拡張装置１５０は、携帯電話１００の入力装置１０４に電気的に連結され、外部から入力装置１０４を介して入力される情報を受信し、入力された情報をディスプレイ部１５２に表示する。もちろん、前記携帯電話１００の胴体１０１、１０２の内部には、前記情報表示に必要な回路が構成されていることが好ましく、このような入力装置１０４とディスプレイ部１５２の基本的な構成や連結関係は、通常の携帯電話の連結関係を使用するので、本実施例では、その説明を省略する。また、本実施例では、携帯電話を介して電源を供給されることが開示されているが、入出力拡張機器に別の電源供給部をさらに形成してもよい。
【００２０】
具体的に、本発明による入出力拡張装置１５０は、プラスチック基板、金属薄膜、及び超薄膜ガラス基板のうち１つを使用する。プラスチック基板として、ＰＥＴ、ＰＣ、ＰＥＳ及びＰＩなどが使用され、金属薄膜は、ステンレス鋼及びアルミニウムなどを使用する。超薄膜ガラス基板は、超薄型ガラス基板の上面及び下面のうち少なくとも一面に高分子膜を塗布するか、装着することによって、破断を防止したものである。
【００２１】
図３は、本発明の他の実施例による携帯用電子装置と前記携帯用電子装置に連結される入出力拡張機器の分解斜視図である。
【００２２】
図３を参照すれば、本発明の他の実施例に使用された携帯用電子装置は、携帯電話１００である。携帯電話１００は、デュアル方式のフォルダ型で、２つの胴体１０１、１０２がヒンジ構造１０３で結合されている形態である。前記携帯用電子装置の構造は、図１ａ及び図１ｂに開示された構造と同一なので、図１ａ及び図１ｂの説明を参照する。
【００２３】
入出力拡張機器１５０は、携帯電話１００に設けられたポート１１０を介して携帯電話１００に連結される形態であって、少なくとも１つのディスプレイ部１５２を有するディスプレイ本体１５１と、ディスプレイ本体１５１に設けられた入出力連結部１５３と、携帯電話１００と入出力拡張機器１５０とを電気的且つ物理的に連結するインタフェースケーブル１６０とを含む。インタフェースケーブル１６０の両端には、携帯電話１００のポート１１０及び入出力拡張機器１５０の入出力連結部１５３に連結される１対の接続部１６０ａ、１６０ｂが設けられている。
【００２４】
前述のような構成によれば、インタフェースケーブル１６０を介して携帯電話１００に連結された入出力拡張装置１５０は、前記携帯電話１００から電源を供給されることができる。もちろん、前記実施例では図示していないが、入出力拡張装置１５０に電源を供給する別の電源供給部を形成してもよい。また、入出力拡張装置１５０は、携帯電話１００の入力装置１０４に電気的に連結され、外部から入力装置１０４を介して入力される情報を受信し、入力された情報をディスプレイ部１５２に表示する。もちろん、前記携帯電話１００の胴体１０１、１０２の内部には、前記情報表示に必要な回路が構成されていることが好ましく、このような入力装置１０４とディスプレイ部１５２の基本的な構成や連結関係は、通常の携帯電話の連結関係を使用するので、本実施例では、その説明を省略する。
【００２５】
図４ａ及び図４ｂは、本発明の他の実施例による携帯可能な電子装置用入出力拡張装置の前面及び背面を示す概略的ブロック図である。図４ａ及び図４ｂを参照すれば、本の実施例による入出力拡張装置１５０は、ディスプレイ部１５２が設けられたディスプレイ本体１５１と、携帯用電子装置との連結のための入出力連結部１５３と、ディスプレイ本体１５１に電源を供給する電源供給部１５４と、外部で連結される多様な機能性電子機器（図示せず）との連結のための１つ以上の機能性電子機器接続ポート１５５と、を含む。本実施例では、連結部１５３、電源供給部１５４及び複数の接続ポート１５５が拡張装置の背面に形成されている。また、背面には、電源供給及び中断のための電源スィッチ１５６がさらに形成されている。
【００２６】
ディスプレイ本体１５１は、軽くて且つ薄く、壊れない材料を使用することが好ましく、特に、プラスチック基板、金属薄膜及び超薄膜ガラス基板のうち１つを使用する。ディスプレイ本体１５１に形成されたディスプレイ部１５２は、超薄型超軽量の基板上に製作可能なＬＣＤ、ＯＬＥＤ及び電子ペーパのうち少なくとも１つの表示素子を使用して集積する。電源供給部１５４は、ポリマー電池、太陽電池、燃料電池装置のうち少なくとも１つを含み、前記電池などを使用してディスプレイ本体１５１に電源を供給することができる。ディスプレイ本体１５１に形成された接続ポート１５５には、需要者の要求によって選択することができる多様な機能性電子機器を連結することができる。
【００２７】
接続ポート１５５を介して機能性電子機器が連結されれば、機能性電子機器からの情報を携帯電話に送信するか、ディスプレイ部１５２に直接表示する。前記機能性電子機器は、血糖センサー、血圧センサー、心拍センサーなどの医療用センサーと、周辺環境の照度によって表示素子の輝度を制御するための光センサー、ＲＦ信号を感知して情報として認識することができるＲＦセンサー、温度及び湿度を感知する温度及び湿度センサー、及び情報処理プロセッサーなど各種多様な機器である。一方、機能性電子機器の脱着及び電気的集積を容易にするために、前述のような多様な種類の基板上に印刷回路基板ＰＣＢを形成することができる。
【００２８】
上記構成によれば、電源供給部１５４が別に形成されている入出力拡張機器の場合には、電源スイッチ１５６がオンとされる場合、電源供給部１５４に信号が印加され、電源供給を開始することによって、携帯電話１００の入力装置１０４または接続ポート１５５を介して連結された機能性電子機器により提供される情報をディスプレイ部１５２に表示する。
以上において説明した本発明は、本発明が属する技術の分野における通常の知識を有する者であれば、本発明の技術的思想を逸脱しない範囲内で、様々な置換、変形及び変更が可能であるので、上述した実施形態及び添付された図面に限定されるものではない。
【図面の簡単な説明】
【００２９】
【図１ａ】本発明の実施例による携帯用電子装置と前記携帯用電子装置に連結される入出力拡張機器の分解斜視図である。
【図１ｂ】図１ａの入出力拡張機器が携帯用電子装置に装着された状態を示す斜視図である。
【図２】図１ｂのＩＩ−ＩＩ線に沿う側断面図である。
【図３】本発明の他の実施例による携帯用電子装置と前記携帯用電子装置に連結される入出力拡張機器の分解斜視図である。
【図４ａ】本発明のさらに他の実施例による携帯可能な電子装置用入出力拡張装置の前面及び背面を示す概略的ブロック図である。
【図４ｂ】本発明のさらに他の実施例による携帯可能な電子装置用入出力拡張装置の前面及び背面を示す概略的ブロック図である。
【符号の説明】
【００３０】
１００  携帯可能な電子装置
１０１  胴体
１０２  胴体
１０３  ヒンジ構造
１０４  入力装置
１０５  表示部
１１０  ポート
１５０  入出力拡張機器
１５１  ディスプレイ本体
１５２  ディスプレイ部
１５３  入出力連結部
１５４  電源供給部
１５５  連結ポート
１５６  電源スイッチ
１１６０  インタフェースケーブル
１６０ａ  ケーブル接続部
１６０ｂ  ケーブル接続部
【図１ａ】
2009536394.tif 000003
【図１ｂ】
2009536394.tif 000004
【図２】
2009536394.tif 000005
【図３】
2009536394.tif 000006
【図４ａ】
2009536394.tif 000007
【図４ｂ】
2009536394.tif 000008
【国際調査報告】
2009536394.tif 000009
2009536394.tif 000010